【手続補正書】
【提出日】平成16年8月16日(2004.8.16)
【手続補正１】
【補正対象書類名】明細書
【補正対象項目名】特許請求の範囲
【補正方法】変更
【補正の内容】
【特許請求の範囲】
【請求項１】  自己IgE部分および非自己IgE部分を含み、かつ哺乳動物における抗自己IgE応答の誘導に有効な免疫原性ポリペプチドであって、前記非自己IgE部分が哺乳動物の無胎盤類に存在するIgE配列を含む、前記免疫原性ポリペプチド。
【請求項２】  前記哺乳動物がヒトである、請求項１記載の免疫原性ポリペプチド。
【請求項３】  前記自己の部分がIgEのCH3ドメインの少なくとも一部を含む、請求項１記載の免疫原性ポリペプチド。
【請求項４】  前記自己IgE部分がIgE抗体のCH2ドメインを欠損している、請求項３記載の免疫原性ポリペプチド。
【請求項５】  二量体化して、哺乳動物における抗自己IgE応答の誘導に有効な可溶性免疫原性二量体を形成することができる、請求項１記載の免疫原性ポリペプチド。
【請求項６】  非自己IgE部分が第１領域および第２領域を含み、自己IgE部分が非自己IgE部分の第１領域と第２領域との間に位置する、請求項１記載の免疫原性ポリペプチド。
【請求項７】  第１領域がIgE CH2ドメインの少なくとも一部を含む、請求項６記載の免疫原性ポリペプチド。
【請求項８】  第２領域がIgE CH4ドメインの少なくとも一部を含む、請求項６記載の免疫原性ポリペプチド。
【請求項９】  前記哺乳動物の無胎盤類が、オポッサム、カモノハシ、コアラ、カンガルー、ワラビーおよびウオンバットからなる群より選択される、請求項１記載の免疫原性ポリペプチド。
【請求項１０】  真核性翻訳後修飾を含む、請求項１記載の免疫原性ポリペプチド。
【請求項１１】  ポリヒスチジン配列を含む、請求項１記載の免疫原性ポリペプチド。
【請求項１２】  抗自己IgE応答がポリクローナル応答である、請求項１記載の免疫原性ポリペプチド。
【請求項１３】  前記非自己IgE部分が本質的にIgEのCH2ドメインとIgEのCH4ドメインからなる、請求項１記載の免疫原性ポリペプチド。
【請求項１４】  前記自己IgE部分がIgE抗体のCH1ドメイン欠損している、請求項１記載の免疫原性ポリペプチド。
【請求項１５】  前記自己IgE部分が本質的にIgEのCH3ドメインのN末端部分からなる、請求項１記載の免疫原性ポリペプチド。
【請求項１６】  前記ポリペプチドがIg軽鎖に連結していない、請求項１記載の免疫原性ポリペプチド。
【請求項１７】  自己IgE部分および非自己IgE部分を含み、かつ哺乳動物における抗自己IgE応答の誘導に有効な免疫原性ポリペプチドであって、前記非自己IgE部分が本質的にIgEのCH2ドメインとIgEのCH4ドメインからなる、前記免疫原性ポリペプチド。
【請求項１８】  前記哺乳動物がヒトである、請求項１７記載の免疫原性ポリペプチド。
【請求項１９】  前記自己IgE部分がIgEのCH3ドメインの少なくとも一部を含む、請求項１７記載の免疫原性ポリペプチド。
【請求項２０】  前記自己IgE部分がIgE抗体のCH2ドメインを欠損している、請求項１９記載の免疫原性ポリペプチド。
【請求項２１】  前記ポリペプチドが二量体化して、哺乳動物における抗自己IgE応答の誘導に有効な可溶性免疫原性二量体を形成することができる、請求項１７記載の免疫原性ポリペプチド。
【請求項２２】  前記自己IgE部分が前記非自己IgE部分のCH2ドメインとCH4ドメインとの間に位置する、請求項１７記載の免疫原性ポリペプチド。
【請求項２３】  前記非自己IgE部分が哺乳動物の無胎盤類に存在するIgE配列を含む、請求項１７記載の免疫原性ポリペプチド。
【請求項２４】  前記哺乳動物の無胎盤類が、オポッサム、カモノハシ、コアラ、カンガルー、ワラビーおよびウオンバットからなる群より選択される、請求項２３記載の免疫原性ポリペプチド。
【請求項２５】  前記ポリペプチドが真核性翻訳後修飾を含む、請求項１７記載の免疫原性ポリペプチド。
【請求項２６】  前記ポリペプチドがポリヒスチジン配列を含む、請求項１７記載の免疫原性ポリペプチド。
【請求項２７】  抗自己IgE応答がポリクローナル応答である、請求項１７記載の免疫原性ポリペプチド。
【請求項２８】  前記ポリペプチドがIgEのCH1ドメイン欠損している、請求項１７記載の免疫原性ポリペプチド。
【請求項２９】  前記自己IgE部分が本質的にIgEのCH3ドメインのN末端部分からなる、請求項１記載の免疫原性ポリペプチド。
【請求項３０】  前記ポリペプチドがIg軽鎖に連結していない、請求項１７記載の免疫原性ポリペプチド。
【請求項３１】  自己IgE部分および非自己IgE部分を含み、かつ哺乳動物における抗自己IgE応答の誘導に有効な免疫原性ポリペプチドであって、IgEのCH1ドメインを欠損している前記免疫原性ポリペプチド。
【請求項３２】  前記哺乳動物がヒトである、請求項３１記載の免疫原性ポリペプチド。
【請求項３３】  前記自己IgE部分がIgEのCH3ドメインの少なくとも一部を含む、請求項３１記載の免疫原性ポリペプチド。
【請求項３４】  前記自己IgE部分がIgE抗体のCH2ドメインを欠損している、請求項３３記載の免疫原性ポリペプチド。
【請求項３５】  前記ポリペプチドが二量体化して、哺乳動物における抗自己IgE応答の誘導に有効な可溶性免疫原性二量体を形成することができる、請求項３１記載の免疫原性ポリペプチド。
【請求項３６】  前記非自己IgE部分が第１領域と第２領域を含み、前記自己IgE領域が非自己IgE部分の第１領域と第２領域との間に位置する、請求項３１記載の免疫原性ポリペプチド。
【請求項３７】  前記第1領域がIgE CH2ドメインの少なくとも一部を含む、請求項３６記載の免疫原性ポリペプチド。
【請求項３８】  前記第２領域がIgE CH4ドメインの少なくとも一部を含む、請求項３６記載の免疫原性ポリペプチド。
【請求項３９】  前記非自己IgE部分が哺乳動物の無胎盤類に存在するIgE配列を含む、請求項３１記載の免疫原性ポリペプチド。
【請求項４０】  前記哺乳動物の無胎盤類が、オポッサム、カモノハシ、コアラ、カンガルー、ワラビーおよびウオンバットからなる群より選択される、請求項３９記載の免疫原性ポリペプチド。
【請求項４１】  前記ポリペプチドが真核性翻訳後修飾を含む、請求項３１記載の免疫原性ポリペプチド。
【請求項４２】  前記ポリペプチドがポリヒスチジン配列を含む、請求項３１記載の免疫原性ポリペプチド。
【請求項４３】  抗自己IgE応答がポリクローナル応答である、請求項３１記載の免疫原性ポリペプチド。
【請求項４４】  前記非自己IgE部分が本質的にIgEのCH2ドメインとIgEのCH4ドメインからなる、請求項３１記載の免疫原性ポリペプチド。
【請求項４５】  前記自己IgE部分が本質的にIgEのCH3ドメインのN末端部分からなる、請求項３１記載の免疫原性ポリペプチド。
【請求項４６】  前記ポリペプチドがIg軽鎖に連結していない、請求項３１記載の免疫原性ポリペプチド。
【請求項４７】  自己IgE部分および非自己IgE部分を含み、かつ哺乳動物における抗自己IgE応答の誘導に有効な免疫原性ポリペプチドであって、Ig軽鎖に連結していない前記免疫原性ポリペプチド。
【請求項４８】  前記哺乳動物がヒトである、請求項４７記載の免疫原性ポリペプチド。
【請求項４９】  前記自己IgE部分がIgEのCH3ドメインの少なくとも一部を含む、請求項４７記載の免疫原性ポリペプチド。
【請求項５０】  前記自己IgE部分がIgE抗体のCH2ドメインを欠損している、請求項４９記載の免疫原性ポリペプチド。
【請求項５１】  前記ポリペプチドが二量体化して、哺乳動物における抗自己IgE応答の誘導に有効な可溶性免疫原性二量体を形成することができる、請求項４７記載の免疫原性ポリペプチド。
【請求項５２】  前記非自己IgE部分が第１領域と第２領域を含み、前記自己IgE領域が非自己IgE部分の第１領域と第２領域との間に位置する、請求項４７記載の免疫原性ポリペプチド。
【請求項５３】  前記第1領域がIgE CH2ドメインの少なくとも一部を含む、請求項５２記載の免疫原性ポリペプチド。
【請求項５４】  前記第２領域がIgE CH4ドメインの少なくとも一部を含む、請求項５２記載の免疫原性ポリペプチド。
【請求項５５】  前記非自己IgE部分が哺乳動物の無胎盤類に存在するIgE配列を含む、請求項４７記載の免疫原性ポリペプチド。
【請求項５６】  前記哺乳動物の無胎盤類が、オポッサム、カモノハシ、コアラ、カンガルー、ワラビーおよびウオンバットからなる群より選択される、請求項４７記載の免疫原性ポリペプチド。
【請求項５７】  前記ポリペプチドが真核性翻訳後修飾を含む、請求項４７記載の免疫原性ポリペプチド。
【請求項５８】  前記ポリペプチドがポリヒスチジン配列を含む、請求項４７記載の免疫原性ポリペプチド。
【請求項５９】  抗自己IgE応答がポリクローナル応答である、請求項４７記載の免疫原性ポリペプチド。
【請求項６０】  前記非自己IgE部分が本質的にIgEのCH2ドメインとIgEのCH4ドメインからなる、請求項４７記載の免疫原性ポリペプチド。
【請求項６１】  前記ポリペプチドがCH1ドメインを欠損している、請求項４７記載の免疫原性ポリペプチド。
【請求項６２】  前記自己IgE部分が本質的にIgEのCH3ドメインのN末端部分からなる、請求項４７記載の免疫原性ポリペプチド。
【請求項６３】  自己IgE部分および非自己IgE部分を含みかつ哺乳動物における抗自己IgE応答の誘導に有効な免疫原性ポリペプチドをコードする核酸配列を含有する核酸分子であって、
a）前記非自己IgE部分が哺乳動物の無胎盤類に存在するIgE配列を含むか;
b）前記非自己IgE部分が本質的にIgEのCH2ドメインとIgEのCH4ドメインからなるか；
c）前記免疫原性ポリペプチドがCH1ドメインを欠損しているか；または
d）前記免疫原性ポリペプチドがIg軽鎖に連結していない、
前記核酸分子。
【請求項６４】  真核細胞からの前記免疫原性ポリペプチドの分泌を促進するアミノ酸配列をコードするさらなる核酸配列を含む、請求項６３記載の核酸分子。
【請求項６５】  核酸分子を含むin vitro宿主細胞であって、該核酸分子は、自己IgE部分および非自己IgE部分を含みかつ哺乳動物における抗自己IgE応答の誘導に有効である免疫原性ポリペプチドをコードする核酸配列を含み、
a）前記非自己IgE部分が哺乳動物の無胎盤類に存在するIgE配列を含むか;
b）前記非自己IgE部分が本質的にIgEのCH2ドメインとIgEのCH4ドメインからなるか；
c）前記免疫原性ポリペプチドがCH1ドメインを欠損しているか；または
d）前記免疫原性ポリペプチドがIg軽鎖に連結していない、
前記宿主細胞。
【請求項６６】  真核細胞である、請求項６５記載のin vitro宿主細胞。
【請求項６７】  免疫原性ポリペプチドと薬学的に許容される担体を含むワクチンであって、該免疫原性ポリペプチドが自己IgE部分および非自己IgE部分を含み、かつ哺乳動物における抗自己IgE応答の誘導に有効である、上記ワクチン。
【請求項６８】  哺乳動物における抗自己IgE応答の誘導に有効な免疫原性ポリペプチドをコードする核酸分子の製造方法であって、第１核酸配列と第２核酸配列とを結合させて該核酸分子を形成させることを含み、第１核酸配列が該哺乳動物に存在するIgE分子の少なくとも一部をコードし、第２核酸配列が該哺乳動物には存在しないIgE分子の少なくとも一部をコードし、
a）前記非自己IgE部分が哺乳動物の無胎盤類に存在するIgE配列を含むか;
b）前記非自己IgE部分が本質的にIgEのCH2ドメインとIgEのCH4ドメインからなるか；
c）前記免疫原性ポリペプチドがCH1ドメインを欠損しているか；または
d）前記免疫原性ポリペプチドがIg軽鎖に連結していない、
前記方法。
【請求項６９】  哺乳動物における抗自己IgE応答の誘導に有効な免疫原性ポリペプチドをコードする核酸分子の製造方法であって、
i）前記非自己IgE部分が哺乳動物の無胎盤類に存在するIgE配列を含むか;
ii）前記非自己IgE部分が本質的にIgEのCH2ドメインとIgEのCH4ドメインからなるか；
iii）前記免疫原性ポリペプチドがCH1ドメインを欠損しているか；または
iv）前記免疫原性ポリペプチドがIg軽鎖に連結しており、
かつ、
a）上記哺乳動物に存在するIgE分子の少なくとも一部をコードする第１核酸配列を選択し、
b）上記哺乳動物には存在しないIgE分子の少なくとも一部をコードする第２核酸配列を選択し、そして
c）第１核酸配列と第２核酸配列とを結合させて、上記核酸分子を形成させること、
を含む、上記方法。
【請求項７０】  アレルギーの治療用医薬の製造における免疫原性ポリペプチドの使用であって、前記免疫原性ポリペプチドが自己IgE部分および非自己IgE部分を含み、かつ哺乳動物における抗自己IgE応答の誘導に有効である、前記使用。
【請求項７１】  前記哺乳動物がヒトである、請求項７０記載の免疫原性ポリペプチドの使用。
【請求項７２】  前記自己IgE部分がIgEのCH3ドメインの少なくとも一部を含む、請求項７０記載の免疫原性ポリペプチドの使用。
【請求項７３】  前記自己IgE部分がIgE抗体のCH2ドメインを欠損している、請求項７２記載の免疫原性ポリペプチドの使用。
【請求項７４】  前記ポリペプチドが二量体化して、哺乳動物における抗自己IgE応答の誘導に有効な可溶性免疫原性二量体を形成することができる、請求項７０記載の免疫原性ポリペプチドの使用。
【請求項７５】  前記非自己IgE部分が第１領域と第２領域を含み、前記自己IgE領域が非自己IgE部分の第１領域と第２領域との間に位置する、請求項７０記載の免疫原性ポリペプチドの使用。
【請求項７６】  前記第1領域がIgE CH2ドメインの少なくとも一部を含む、請求項７５記載の免疫原性ポリペプチドの使用。
【請求項７７】  前記第２領域がIgE CH4ドメインの少なくとも一部を含む、請求項７５記載の免疫原性ポリペプチドの使用。
【請求項７８】  前記非自己IgE部分が哺乳動物の無胎盤類に存在するIgE配列を含む、請求項７０記載の免疫原性ポリペプチドの使用。
【請求項７９】  前記哺乳動物の無胎盤類が、オポッサム、カモノハシ、コアラ、カンガルー、ワラビーおよびウオンバットからなる群より選択される、請求項７８記載の免疫原性ポリペプチドの使用。
【請求項８０】  前記免疫原性ポリペプチドが真核性翻訳後修飾を含む、請求項７０記載の免疫原性ポリペプチドの使用。
【請求項８１】  前記免疫原性ポリペプチドがポリヒスチジン配列を含む、請求項７０記載の免疫原性ポリペプチドの使用。
【請求項８２】  抗自己IgE応答がポリクローナル応答である、請求項７０記載の免疫原性ポリペプチドの使用。
【請求項８３】  非自己IgE部分が本質的にIgEのCH2ドメインとIgEのCH4ドメインからなる、請求項７０記載の免疫原性ポリペプチドの使用。
【請求項８４】  免疫原性ポリペプチドがCH1ドメインを欠損している、請求項７０記載の免疫原性ポリペプチドの使用。
【請求項８５】  免疫原性ポリペプチドが自己IgE部分が本質的にIgEのCH3ドメインのN末端部分からなる、請求項７０記載の免疫原性ポリペプチドの使用。
【請求項８６】  免疫原性ポリペプチドがIg軽鎖に連結していない、請求項７０記載の免疫原性ポリペプチドの使用。